(57)【要約】【課題】本発明は、通電時間だけでなく運転回数に伴う部品劣化も考慮して保守点検の実施を促すことができる電気機器を提供することを目的とする。【解決手段】本発明に係る電気機器は、電気部品の動作を制御する制御装置３７と、制御装置３７に接続され、制御装置３７に通電されている間は動作を継続する安全装置と、制御装置３７の累計通電時間及び制御装置３７により制御される電気部品の動作に関連した回数を記憶する記憶部３７ｂと、情報を報知する報知部と、を備え、制御装置３７は、記憶部３７ｂに記憶されている累計通電時間が予め設定された値を超えた場合及び記憶部３７ｂに記憶されている回数が予め設定された値を超えた場合に、保守点検の実施を促す情報を報知部から報知させるものである。【選択図】図７
2017153685.tif 000002
【特許請求の範囲】
【請求項１】
電気部品の動作を制御する制御装置と、
前記制御装置に接続され、前記制御装置に通電されている間は動作を継続する安全装置と、
前記制御装置の累計通電時間及び前記制御装置により制御される電気部品の動作に関連した回数を記憶する記憶部と、
情報を報知する報知部と、
を備え、
前記制御装置は、前記記憶部に記憶されている累計通電時間が予め設定された値を超えた場合及び前記記憶部に記憶されている回数が予め設定された値を超えた場合に、保守点検の実施を促す情報を前記報知部から報知させる電気機器。
【請求項２】
前記記憶部は、不揮発性のメモリ又は記憶装置である請求項１に記載の電気機器。
【請求項３】
被洗浄物が載置される洗浄槽と、
前記洗浄槽に洗浄水を供給する給水手段と、
を備え、
前記安全装置は、水漏れセンサーであり、
食器洗浄機として形成された請求項１又は２に記載の電気機器。
【発明の詳細な説明】
【技術分野】
【０００１】
本発明は、電気機器に関する。
【背景技術】
【０００２】
下記特許文献１には、累計通電時間に基づいて保守点検の時期が来たことを報知する電気機器が記載されている。
【先行技術文献】
【特許文献】
【０００３】
【特許文献１】特開２０１２−５５４１７号公報
【発明の概要】
【発明が解決しようとする課題】
【０００４】
特許文献１に記載の電気機器は、運転回数を重ねることによる部品劣化を考慮して保守点検の実施を促すことができない。
【０００５】
本発明は、上記の課題を解決するためになされた。その目的は、通電時間だけでなく運転回数に伴う部品劣化も考慮して保守点検の実施を促すことができる電気機器を提供することである。
【課題を解決するための手段】
【０００６】
本発明に係る電気機器は、電気部品の動作を制御する制御装置と、制御装置に接続され、制御装置に通電されている間は動作を継続する安全装置と、制御装置の累計通電時間及び制御装置により制御される電気部品の動作に関連した回数を記憶する記憶部と、情報を報知する報知部と、を備え、制御装置は、記憶部に記憶されている累計通電時間が予め設定された値を超えた場合及び記憶部に記憶されている回数が予め設定された値を超えた場合に、保守点検の実施を促す情報を報知部から報知させるものである。
【発明の効果】
【０００７】
本発明に係る電気機器において、制御装置は、記憶部に記憶されている累計通電時間が予め設定された値を超えた場合及び記憶部に記憶されている回数が予め設定された値を超えた場合に、保守点検の実施を促す情報を報知部から報知させる。このため、本発明によれば、通電時間だけでなく運転回数に伴う部品劣化も考慮して保守点検の実施を促す電気機器を提供することができる。
【図面の簡単な説明】
【０００８】
【図１】本発明の実施の形態１における食器洗浄機の側面側から見た垂直断面図である。
【図２】本発明の実施の形態１における食器洗浄機の正面図である。
【図３】本発明の実施の形態１における食器洗浄機の背面側から見た垂直断面図である。
【図４】本発明の実施の形態１における食器洗浄機の電気的な構成を示すブロック図である。
【図５】本発明の実施の形態１における食器洗浄機の設置状態の一例を示す斜視図である。
【図６】図５における食器洗浄機の洗浄槽が引き出されている状態を示す斜視図である。
【図７】本発明の実施の形態１における累計通電時間及び運転回数に基づく制御装置の動作の一例を示すフローチャートである。
【図８】本発明の実施の形態２における不揮発性記憶部のリセット工程を示すフローチャートである。
【図９】本発明の実施の形態２における累計通電時間及び運転回数に基づく制御装置の動作の一例を示すフローチャートである。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
以下、電気機器の一例として、食器洗浄機について説明する。なお、本発明は、食器洗浄機に限定されるものではなく、例えば、洗濯機及びその他の電気機器にも適用することが可能である。
【００１１】
実施の形態１．
図１は、実施の形態１における食器洗浄機の側面側から見た垂直断面図である。図２は、実施の形態１における食器洗浄機の正面図である。図３は、実施の形態１における食器洗浄機の背面側から見た垂直断面図である。
【００１２】
図２は、図１における左側から見た食器洗浄機１の外観を示している。図３は、図１における右側から見た食器洗浄機１の断面を示している。以下、図１における左を前方、図１における右側を後方として、食器洗浄機１の前後方向を指定する。
【００１３】
図１に示すように、食器洗浄機１は、本体２、洗浄槽３及び前扉４を備えている。本体２及び洗浄槽３は、箱状に形成されている。本体２の前面には、前面開口部２ａが形成されている。洗浄槽３の上面には、食器収納口３ａが形成されている。洗浄槽３の内部には、食器かご５が設けられている。食器かご５には、食器等の被洗浄物１００が載置される。洗浄槽３は、本体２の内部に収納可能に形成されている。前扉４は、洗浄槽３の前面に一体的に取り付けられている。
【００１４】
図２に示すように、前扉４の上部には、排気口６が形成されている。また、前扉４の上部には、操作部７及び取っ手８が設けられている。排気口６は、洗浄槽３の内部に通じている。操作部７は、電源スイッチ７ａ及び運転スイッチ７ｂ等を含む各種スイッチを有している。また、操作部７は、表示部７ｃを有している。表示部７ｃは、例えば、点検ランプ及び液晶画面等である。取っ手８は、例えば、人の手で掴めるように凹んだ形状に形成されている。
【００１５】
図１及び図３に示すように、本体２の上部には、ドア開閉検知装置９及び開閉蓋１０が設けられている。ドア開閉検知装置９は、例えば、本体２の前方側上部に設けられている。ドア開閉検知装置９は、例えば、洗浄槽３が本体２の内部に収納された状態で前扉４の上部の内壁と接触する位置に配置される。開閉蓋１０は、洗浄槽３が本体２の内部に収納された状態で食器収納口３ａを閉塞する位置に設けられている。
【００１６】
なお、ドア開閉検知装置９は、例えば、前扉４の上部の内壁に設けられてもよい。この場合、ドア開閉検知装置９は、例えば、洗浄槽３が本体２の内部に収納された状態で本体２の前方側上部と接触する位置に配置される。
【００１７】
図１及び図３に示すように、本体２の後部には、給水管１１、給水バルブ１２、第１給水接続管１３、給水機構１４及び第２給水接続管１５が設けられている。給水機構１４は、本体側給水連結具１６及び洗浄槽側給水連結具１７を有している。
【００１８】
給水管１１は、上水道に接続されている。給水バルブ１２は、給水管１１の下流側に設けられている。給水バルブ１２は、第１給水接続管１３、給水機構１４及び第２給水接続管１５を介して洗浄槽３に通じる。給水機構１４は、第１給水接続管１３に本体側給水連結具１６が連結され、第２給水接続管１５に洗浄槽側給水連結具１７が連結されることで、給水バルブ１２から洗浄槽３までの経路を形成する。給水管１１、給水バルブ１２、第１給水接続管１３、給水機構１４及び第２給水接続管１５は、洗浄水となる水道水を洗浄槽３内に供給する給水手段として働く。なお、給水手段は、例えば、給水機構１４を用いずに、給水バルブ１２から洗浄槽３の間を洗浄水が流下可能となるようホース等で接続したものでもよい。
【００１９】
図１に示すように、食器洗浄機１の下部には、洗浄ポンプ１８、回転ノズル１９及び湯沸しヒーター２０が設けられている。回転ノズル１９は、洗浄槽３が本体２の内部に収納された状態で食器かご５の下方に位置する。洗浄ポンプ１８及び回転ノズル１９は、洗浄槽３の内部で洗浄水を噴射及び循環させることで被洗浄物１００の汚れを洗い落とす洗浄手段として働く。湯沸しヒーター２０は、洗浄能力を向上させるために洗浄水の温度を上げる加熱手段として働く。
【００２０】
図１及び図３に示すように、本体２の下部及び後部には、排水ポンプ２１、第１排水接続管２２、排水機構２３、第２排水接続管２４及び排水管２５が設けられている。排水機構２３は、洗浄槽側排水連結具２６及び本体側排水連結具２７を有している。排水管２５の一部は、排水トラップ２８として形成されている。
【００２１】
排水ポンプ２１は、洗浄槽３の底部に接続されている。排水ポンプ２１は、第１排水接続管２２、排水機構２３及び第２排水接続管２４を介して排水管２５に通じる。排水管２５は、食器洗浄機１の外部に通じる。排水機構２３は、第１排水接続管２２に洗浄槽側排水連結具２６が連結され、第２排水接続管２４に本体側排水連結具２７が連結されることで、排水ポンプ２１から排水管２５までの経路を形成する。排水ポンプ２１、第１排水接続管２２、排水機構２３、第２排水接続管２４及び排水管２５は、洗浄に使用された洗浄水を食器洗浄機１の外部に排出する排水手段として働く。なお、排水手段は、例えば、排水機構２３を用いずに、第１排水接続管２２と排水管２５との間を排水が流下可能となるようホース等で接続したものでもよい。
【００２２】
図３に示すように、排水トラップ２８は、本体側排水連結具２７の下流側に形成されている。排水トラップ２８に常時適量の排水が溜まっていることで、下水等からの異臭及び害虫等の侵入が防止される。
【００２３】
図１及び図３に示すように、本体２の後部には、ケーシング２９、送風機３０及び乾燥用ヒーター３１が設けられている。送風機３０及び乾燥用ヒーター３１は、ケーシング２９に内蔵されている。ケーシング２９には、送風路３２が接続されている。送風路３２は、洗浄槽３の内部に通じている。送風機３０、乾燥用ヒーター３１及び送風路３２は、洗浄された被洗浄物１００を乾燥させるための乾燥風を発生させる乾燥手段として働く。
【００２４】
図１に示すように、食器洗浄機１には、第１水漏れセンサー３３、第２水漏れセンサー３４、水位検知装置３５及び温度検知装置３６が設けられている。第１水漏れセンサー３３は、給水バルブ１２に取り付けられている。第２水漏れセンサー３４は、洗浄槽３の底部に取り付けられている。水位検知装置３５は、前扉４と洗浄槽３との間の下部に設けられている。温度検知装置３６は、湯沸しヒーター２０の下方に設けられている。
【００２５】
図１に示すように、食器洗浄機１は、制御装置３７を備えている。制御装置３７は、前扉４と洗浄槽３との間に設けられている。
【００２６】
図４は、実施の形態１における食器洗浄機の電気的な構成を示すブロック図である。
【００２７】
図４に示すように、制御装置３７は、操作部７、ドア開閉検知装置９、給水バルブ１２、洗浄ポンプ１８、湯沸しヒーター２０、排水ポンプ２１、送風機３０、乾燥用ヒーター３１、第１水漏れセンサー３３、第２水漏れセンサー３４、水位検知装置３５及び温度検知装置３６と電気的に接続されている。また、制御装置３７は、図４に図示しない回転ノズル１９と電気的に接続されている。
【００２８】
制御装置３７は、マイクロコンピュータを有している。図４に示すように、制御装置３７は、タイマー部３７ａ及び記憶部３７ｂを有している。記憶部３７ｂは、例えば、制御装置３７を構成する基板上に設けられている。なお、記憶部３７ｂは、制御装置３７を構成する基板とは別個に設けられ、当該基板と電気的に接続されたものでもよい。
【００２９】
図５は、実施の形態１における食器洗浄機の設置状態の一例を示す斜視図である。図６は、図５における食器洗浄機の洗浄槽が引き出されている状態を示す斜視図である。
【００３０】
図５及び図６における食器洗浄機１は、システムキッチン２００に組み込まれたビルトインタイプの装置として用いられる。システムキッチン２００は、食器洗浄機１の他に、例えば、引き出し、ドア、シンク及び流し台等から構成されている。
【００３１】
図６に示すように、食器洗浄機１は、ガイド３８及びレール３９を備えている。ガイド３８は、本体２の内側の両側面に取り付けられている。レール３９は、洗浄槽３の外側の両側面に取り付けられている。ガイド３８は、レール３９を支持する。レール３９は、ガイド３８に沿って前後方向に移動可能である。洗浄槽３は、レール３９がガイド３８に沿ってスライドすることで前後方向に移動可能である。つまり、ガイド３８及びレール３９は、洗浄槽３を本体２に対して前後方向にスライド可能に支持するスライド手段として働く。
【００３２】
上記スライド手段が設けられているため、ユーザーは、取っ手８を前方に引くことで、前面開口部２ａを介して、本体２から洗浄槽３を引き出す。ユーザーは、洗浄槽３が引き出された状態で、食器収納口３ａを介して、汚れた被洗浄物１００を食器かご５に載置する。その後、ユーザーは、前扉４を後方に押すことで、洗浄槽３を本体２の内部に収納する。洗浄槽３が本体２の内部に収納されると、開閉蓋１０により、洗浄槽３の外に洗浄水及び乾燥風が流出することが防止される。
【００３３】
ドア開閉検知装置９は、前扉４の開閉状態を検知する。ドア開閉検知装置９は、例えば、前扉４が閉じていることを検知する。ドア開閉検知装置９は、例えば、前扉４の上部の内壁と接触した場合に制御装置３７へ信号を送信してもよい。ドア開閉検知装置９は、例えば、前扉４の上部の内壁と接触しなくなった場合に制御装置３７へ信号を送信してもよい。なお、ドア開閉検知装置９は、洗浄槽３が確実に収納されて前扉４が閉じていることを検知可能なものであれば、配置に関して特段の制限はない。
【００３４】
操作部７の各種スイッチは、ユーザーによる操作を受け付ける。電源スイッチ７ａは、例えば、食器洗浄機１への電源供給を開始又は停止させる操作を受け付ける。運転スイッチ７ｂは、例えば、食器洗浄機１の運転を開始又は一時停止させる操作を受け付ける。運転スイッチ７ｂ又は図示しない他のスイッチは、例えば、被洗浄物１００の種類及び量に応じた運転コースを選択する操作等を受け付けてもよい。表示部７ｃは、例えば、文字、記号及び画像等で情報を表示する。また、表示部７ｃは、例えば、ランプの点灯及び点滅等で情報を表示する。
【００３５】
給水管１１が上水道に接続されていると、給水バルブ１２には常に一定の水圧が作用する。給水バルブ１２は、開閉することで、洗浄槽３への給水を開始又は停止する。洗浄ポンプ１８は、回転ノズル１９に洗浄水を送り込む。回転ノズル１９は、回転しながら洗浄槽３の内部に洗浄水を噴射する。湯沸しヒーター２０は、洗浄槽３の内部の洗浄水を加熱する。
【００３６】
排水ポンプ２１は、洗浄槽３の内部の洗浄水を第１排水接続管２２側に送り出す。排水ポンプ２１によって加圧された洗浄水は、第１排水接続管２２、排水機構２３、第２排水接続管２４及び排水管２５を通って外部に排出される。つまり、排水ポンプ２１は、洗浄に使用された洗浄水を食器洗浄機１の外部に排水する。
【００３７】
送風機３０は、洗浄槽３の内部へ送風する。乾燥用ヒーター３１は、送風機３０によって洗浄槽３に送られる空気を加熱する。送風機３０によって洗浄槽３に送られた空気は、排気口６から食器洗浄機１の外部へ放出される。
【００３８】
第１水漏れセンサー３３は、給水バルブ１２からの水漏れを検知する。第２水漏れセンサー３４は、洗浄槽３からの水漏れを検知する。水位検知装置３５は、洗浄槽３内の洗浄水の水位を検知する。温度検知装置３６は、洗浄槽３内の洗浄水の水温を検知する。第１水漏れセンサー３３、第２水漏れセンサー３４、水位検知装置３５及び温度検知装置３６による検知結果を示す信号は、制御装置３７に送信される。
【００３９】
制御装置３７は、食器洗浄機１が備える各種電気部品の動作を制御する。食器洗浄機１の電気部品には、操作部７、給水バルブ１２、洗浄ポンプ１８、湯沸しヒーター２０、排水ポンプ２１、送風機３０及び乾燥用ヒーター３１が含まれる。制御装置３７は、操作部７の各種スイッチが受け付けた操作に基づいて、各種電気部品の動作を制御する。制御装置３７は、ドア開閉検知装置９、第１水漏れセンサー３３、第２水漏れセンサー３４、水位検知装置３５及び温度検知装置３６からの信号に基づいて、各種電気部品の動作を制御する。
【００４０】
制御装置３７は、ドア開閉検知装置９により前扉４が閉じていることが検知されている状態で、各種電気部品を動作させる。制御装置３７は、ドア開閉検知装置９により前扉４が閉じていることが検知されなくなった場合に、例えば、操作部７を除く各種電気部品の動作を停止させる。なお、ドア開閉検知装置９による検知範囲は、例えば、本体２の前面と接触しなくなった時点で前扉４が閉じていると検知されなくなるように、狭く設定される。つまり、制御装置３７は、洗浄槽３の引き出し操作が始まって前扉４がわずかにスライドした段階で、操作部７以外の各種電気部品の動作を停止させる。
【００４１】
制御装置３７は、第１水漏れセンサー３３及び第２水漏れセンサー３４の少なくとも一方により水漏れが検知された場合に、例えば、給水バルブ１２を閉じることで給水を停止させる。つまり、第１水漏れセンサー３３及び第２水漏れセンサー３４は、食器洗浄機１の状態を正常に保つための安全装置として働く。第１水漏れセンサー３３及び第２水漏れセンサー３４は、食器洗浄機１の運転状況に関係なく、制御装置３７に通電されている間は動作を継続する。例えば、ビルトインタイプの食器洗浄機１では、水漏れが発見され難いため、水漏れ被害の拡大を防止するためにも、これらの安全装置を常に動作させる必要性が高い。このため、例えば、ビルトインタイプの食器洗浄機１において、制御装置３７は、運転状況に関係なく常に通電された状態となる。
【００４２】
制御装置３７は、例えば、各種スイッチが受け付けた操作に基づく情報及び食器洗浄機１の運転状況等を表示部７ｃに表示させる。運転状況には、例えば、制御装置３７によって動作を制御される各種電気部品の駆動状態が含まれる。また、制御装置３７は、例えば、水漏れが検知された場合等に、警告を示す情報を表示部７ｃに表示させる。つまり、表示部７ｃは、食器洗浄機１の状態を報知する報知部として働く。なお、報知部としては、表示部７ｃとは別個に設けられたスピーカーを用いてもよい。スピーカーからの報知は、例えば、アラーム音又は音声アナウンス等によって行われる。
【００４３】
タイマー部３７ａは、時間を計測する。タイマー部３７ａは、例えば、食器洗浄機１の１回ごとの運転時間、累計運転時間及び累計通電時間等を計測する。累計通電時間とは、運転時間だけでなく休止時間も含めた現在までの通電時間を合計したものである。通電時間とは、例えば、制御装置３７に通電された時間である。食器洗浄機１が設置された時点から制御装置３７への通電が継続している場合、累計通電時間は、食器洗浄機１が設置されてから現在までの経過時間と同等である。
【００４４】
記憶部３７ｂは、食器洗浄機１の状態及び制御に関する情報を記憶する。記憶部３７ｂは、タイマー部３７ａにより計測された時間を記憶する。記憶部３７ｂは、少なくとも累計通電時間を記憶する。
【００４５】
制御装置３７は、食器洗浄機１の運転回数を記憶部３７ｂに記憶させる。記憶部３７ｂに記憶される運転回数は、例えば、食器洗浄機１が設置されてから現在までの累計である。運転回数とは、制御装置３７により制御される電気部品の動作に関連した回数である。運転回数は、例えば、給水バルブ１２、洗浄ポンプ１８、回転ノズル１９、湯沸しヒーター２０、排水ポンプ２１、送風機３０及び乾燥用ヒーター３１等の一部又は全部が駆動した回数に基づいて計測されてもよい。運転回数は、例えば、操作部７の電源スイッチ７ａ、運転スイッチ７ｂ及び図示しない各種スイッチが操作された回数に基づいて計測されてもよい。なお、運転回数の計測とは、カウントすること及び予め設定された数式から算出すること等を含む。
【００４６】
累計通電時間の計測及び運転回数の計測は、互いに独立して行われる。累計通電時間の計測結果は、運転回数の計測結果に影響を与えない。制御装置３７は、運転回数とは別個に、累計通電時間を記憶部３７ｂに書き込む。運転回数の計測結果は、累計通電時間の計測結果に影響を与えない。制御装置３７は、累計通電時間とは別個に、運転回数を記憶部３７ｂに書き込む。
【００４７】
制御装置３７は、記憶部３７ｂに記憶されている累計通電時間が予め設定された基準時間を超えた場合に、保守点検の実施を促す情報を報知部から報知させる。制御装置３７は、記憶部３７ｂに記憶されている運転回数が予め設定された基準回数を超えた場合に、保守点検の実施を促す情報を報知部から報知させる。つまり、制御装置３７は、累計通電時間及び運転回数の少なくとも一方が基準値を超えた時点で、保守点検の実施を促す情報を報知部から報知させる。
【００４８】
図７は、実施の形態１における累計通電時間及び運転回数に基づく制御装置の動作の一例を示すフローチャートである。図７において、累計通電時間はＡで表され、運転回数はＢで表されている。
【００４９】
食器洗浄機１がキッチン等に設置され、電源に接続されると、制御装置３７への通電が開始される（ステップＳ１０１）。制御装置３７への通電開始時において、累計通電時間Ａはゼロである（ステップＳ１０２）。また、制御装置３７への通電開始時において、運転回数Ｂはゼロである（ステップＳ１０３）。
【００５０】
制御装置３７は、累計通電時間Ａの計測及び書き込みを行う（ステップＳ１０４）。制御装置３７は、運転回数Ｂの計測及び書き込みを行う（ステップＳ１０５）。なお、ステップＳ１０５の処理は、ステップＳ１０４よりも先に行われてもよい。
【００５１】
ステップＳ１０５に続いて、制御装置３７は、累計通電時間Ａが基準時間を超えているか否かを判定する（ステップＳ１０６）。ステップＳ１０６で累計通電時間Ａが基準時間を超えていないと判定された場合、制御装置３７は、運転回数Ｂが基準回数を超えているか否かを判定する（ステップＳ１０７）。ステップＳ１０７で運転回数Ｂが基準回数を超えていないと判定された場合、制御装置３７は、累計通電時間Ａ及び運転回数Ｂの計測及び書き込みを継続する。なお、ステップＳ１０６及びステップＳ１０７の処理は、内容を互いに入れ替えてもよい。
【００５２】
ステップＳ１０６で累計通電時間Ａが基準時間を超えていると判定された場合、制御装置３７は、ステップＳ１０８の処理を行う。また、ステップＳ１０７で運転回数Ｂが基準回数を超えていると判定された場合も、制御装置３７は、ステップＳ１０８の処理を行う。ステップＳ１０８において、制御装置３７は、保守点検の実施を促す情報を報知部から報知させる（ステップＳ１０８）。
【００５３】
実施の形態１において、記憶部３７ｂは、制御装置３７の累計通電時間及び運転回数を記憶する。制御装置３７は、記憶部３７ｂに記憶されている累計通電時間が予め設定された値を超えた場合及び記憶部３７ｂに記憶されている回数が予め設定された値を超えた場合に、保守点検の実施を促す情報を報知部から報知させる。実施の形態１によれば、例えば、設置されてから日が浅い電気機器であっても、高い頻度で使用されたために運転回数が基準値を超えたものは、保守点検の実施を促す情報を報知する。このため、通電時間だけでなく運転回数に伴う部品劣化も考慮して、電気機器の保守点検を実施することをユーザーに促すことができる。その結果、基本性能を低下させることなく、且つ安全に電気機器を使用し続けることが可能となる。
【００５４】
実施の形態２．
以下、実施の形態１との相違点を中心に、電気機器の一例である食器洗浄機１の構成及び動作を説明する。実施の形態１と同一又は相当する部分には同一の符号を付して、一部の説明を省略する。
【００５５】
実施の形態２における記憶部３７ｂは、不揮発性のメモリ又は記憶装置として構成されている。以下、実施の形態２における記憶部３７ｂを「不揮発性記憶部」とも呼ぶ。
【００５６】
図８は、実施の形態２における不揮発性記憶部のリセット工程を示すフローチャートである。図８において、累計通電時間はＣで表され、運転回数はＤで表されている。
【００５７】
例えば製造工場等において、出荷前の食器洗浄機１が電源に接続されると、制御装置３７への通電が開始される（ステップＳ２０１）。制御装置３７に通電されている状態で、不揮発性記憶部の初期化処理が行われる（ステップＳ２０２）。初期化処理により、不揮発性記憶部に記憶されている累計通電時間Ｃ及び運転回数Ｄは、ゼロとなる。初期化処理は、例えば、操作部７に対して特定の操作を行うことで実行される。不揮発性記憶部の初期化処理が終了した後、食器洗浄機１が電源から切断されることで、制御装置３７への通電がストップする（ステップＳ２０３）。その後、食器洗浄機１は、各家庭等に向けて出荷される。
【００５８】
図９は、実施の形態２における累計通電時間及び運転回数に基づく制御装置の動作の一例を示すフローチャートである。図９において、累計通電時間はＣで表され、運転回数はＤで表されている。
【００５９】
ステップＳ３０１の処理は、図７におけるステップＳ１０１の処理と同様である。制御装置３７は、不揮発性記憶部から累計通電時間Ｃを呼び出す（ステップＳ３０２）。制御装置３７は、不揮発性記憶部から運転回数Ｄを呼び出す（ステップＳ３０３）。なお、ステップＳ３０３の処理は、ステップＳ３０２よりも先に行われてもよい。
【００６０】
ステップＳ３０３に続いて、制御装置３７は、累計通電時間Ｃの計測（ステップＳ３０４）及び不揮発性記憶部への書き込み（ステップＳ３０５）を行う。制御装置３７は、運転回数Ｄの計測（ステップＳ３０６）及び不揮発性記憶部への書き込み（ステップＳ３０７）を行う。なお、ステップＳ３０６及びステップＳ３０７の処理は、ステップＳ３０４及びステップＳ３０５の処理よりも先に行われてもよい。
【００６１】
ステップＳ３０７に続いて、制御装置３７は、累計通電時間Ｃが基準時間を超えているか否かを判定する（ステップＳ３０８）。ステップＳ３０８で累計通電時間Ｃが基準時間を超えていないと判定された場合、制御装置３７は、運転回数Ｄが基準回数を超えているか否かを判定する（ステップＳ３０９）。ステップＳ３０９で運転回数Ｄが基準回数を超えていないと判定された場合、制御装置３７は、累計通電時間Ｃ及び運転回数Ｄの計測及び書き込みを継続する。なお、ステップＳ３０８及びステップＳ３０９の処理は、内容を互いに入れ替えてもよい。
【００６２】
ステップＳ３０８で累計通電時間Ｃが基準時間を超えていると判定された場合、制御装置３７は、ステップＳ３１０の処理を行う。また、ステップＳ３０９で運転回数Ｄが基準回数を超えていると判定された場合も、制御装置３７は、ステップＳ３１０の処理を行う。ステップＳ３１０の処理は、図７におけるステップＳ１０８の処理と同様である。
【００６３】
実施の形態２において、記憶部３７ｂは、不揮発性のメモリ又は記憶装置として構成された不揮発性記憶部である。不揮発性記憶部は、電源供給が遮断されても記憶したデータを保持する。実施の形態２によれば、累計通電時間及び運転回数の累積データは、意図的にリセットしなければ消去されない。つまり、電気機器への電源供給が一時的に遮断されたとしても、直前の状態から継続する形で累計通電時間及び運転回数の計測及び記憶が再開される。このため、例えば、停電等により予期せず電源供給が遮断された場合であっても、累積された通電時間及び運転回数に基づいて、電気機器の保守点検を実施することをユーザーに促すことができる。また、例えば、引越し又は建物のリフォーム等のため敢えて電源供給を遮断する場合であっても、同様である。その結果、基本性能を低下させることなく、且つ安全に電気機器を使用し続けることが可能となる。
【００６４】
実施の形態１及び２における食器洗浄機１は、キッチンの流し台等の上面に据え置いて用いる卓上タイプであってもよい。この場合も、制御装置３７が常に通電された状態であれば、通電時間及び運転回数に基づいて、保守点検を実施することをユーザーに促すことができる。
【符号の説明】
【００６５】
１  食器洗浄機
２  本体
２ａ  前面開口部
３  洗浄槽
３ａ  食器収納口
４  前扉
５  食器かご
６  排気口
７  操作部
７ａ  電源スイッチ
７ｂ  運転スイッチ
７ｃ  表示部
８  取っ手
９  ドア開閉検知装置
１０  開閉蓋
１１  給水管
１２  給水バルブ
１３  第１給水接続管
１４  給水機構
１５  第２給水接続管
１６  本体側給水連結具
１７  洗浄槽側給水連結具
１８  洗浄ポンプ
１９  回転ノズル
２０  湯沸しヒーター
２１  排水ポンプ
２２  第１排水接続管
２３  排水機構
２４  第２排水接続管
２５  排水管
２６  洗浄槽側排水連結具
２７  本体側排水連結具
２８  排水トラップ
２９  ケーシング
３０  送風機
３１  乾燥用ヒーター
３２  送風路
３３  第１水漏れセンサー
３４  第２水漏れセンサー
３５  水位検知装置
３６  温度検知装置
３７  制御装置
３７ａ  タイマー部
３７ｂ  記憶部
３８  ガイド
３９  レール
１００  被洗浄物
２００  システムキッチン
【図１】
2017153685.tif 000003
【図２】
2017153685.tif 000004
【図３】
2017153685.tif 000005
【図４】
2017153685.tif 000006
【図５】
2017153685.tif 000007
【図６】
2017153685.tif 000008
【図７】
2017153685.tif 000009
【図８】
2017153685.tif 000010
【図９】
2017153685.tif 000011